(57)【要約】【課題】  バネ部材により、スイッチのチャタリングによる誤動作を回避して安全性を高めることができる非常停止スイッチを提供する。【解決手段】  非常停止スイッチにおいて、スイッチのＯＮ状態において、固定接点１３と可動接点１６とが開離する方向へ付勢し、押ボタンが押される前の付勢力より大きくなるように作用するバネ部材１８を具備する。【選択図】  図２
2018055963.tif 000002
【特許請求の範囲】
【請求項１】
スイッチのＯＮ状態において、固定接点と可動接点とが接触する方向へ付勢し、押ボタンが押し込まれた状態での付勢手段による付勢力が押ボタンが押されていない状態での付勢手段による付勢力より大きくなるように作用するバネ部材を具備することを特徴とする非常停止スイッチ。
【請求項２】
請求項１記載の非常停止スイッチにおいて、前記バネ部材が、前記押ボタンが押し込まれていない状態と該押ボタンが押し込まれた状態との中間状態において、前記付勢力が最大となるように作用することを特徴とする。
【請求項３】
請求項１又は２記載の非常停止スイッチにおいて、前記バネ部材がケースとプランジャ間に掛けられ、常にスイッチのＯＦＦ側に付勢するネジリコイルバネであることを特徴とする非常停止スイッチ。
【発明の詳細な説明】
【技術分野】
【０００１】
本発明は、スイッチのＯＦＦ操作直後、当該スイッチに衝撃や振動が加わると、チャタリング等の影響により、瞬間的に固定接点と可動接点とがＯＮ状態となる誤動作を停止する非常停止スイッチに関するものである。
【背景技術】
【０００２】
従来、非常停止スイッチは、例えば、図９及び図１０（下記特許文献２参照）に示されているように、ノーマル状態（ＯＮ状態）では可動接点を有する第１の板バネと一体になっている第２の板バネが下方の転換子と接することにより変位され、可動接点と固定接点との間の接触力を生み出している。また、ノーマル状態（ＯＮ状態）では、略Ｌ字状の第１の板バネは可動接点が固定接点から開離する方向に付勢力を発生するように、撓んだ状態である。また、ロック状態（ＯＦＦ状態）ではボタン操作と連動している上方の転換子が下方向に作用し、第１の板バネの変位および第２の板バネとプランジャの変位がそれぞれ０となる（第１の板バネによる下方向のエネルギーが小さくなる）。
【先行技術文献】
【特許文献】
【０００３】
【特許文献１】特許第３９０９０８２号公報
【特許文献２】特許第５３４０８９２号公報
【発明の概要】
【発明が解決しようとする課題】
【０００４】
しかしながら、従来の非常停止スイッチは、上記特許文献１，２に示されているように、スイッチのＯＦＦ操作後に各変位が０に向かうため、固定接点と可動接点とが開離する方向のエネルギーは小さくなり、スイッチのＯＦＦ操作直後に固定接点と可動接点とがＯＮ状態となる虞がある。
【０００５】
本発明は、上記状況に鑑みて、押ボタンが押し込まれた状態での付勢力が、押ボタンが押されていない状態での付勢力より大きくなるバネ部材により、スイッチのＯＦＦ操作直後のチャタリング等による影響を低減してスイッチの誤動作の安全性を高めることができる非常停止スイッチを提供することを目的とする。
【課題を解決するための手段】
【０００６】
本発明は、上記目的を達成するために、
〔１〕非常停止スイッチにおいて、スイッチのＯＮ状態において、固定接点と可動接点とが開離する方向へ付勢し、押ボタンが押し込まれた状態での付勢力が押ボタンが押されいない状態での付勢力より大きくなるような作用をするバネ部材を具備することを特徴とする。
【０００７】
〔２〕上記〔１〕記載の非常停止スイッチにおいて、前記バネ部材が、前記押ボタンが押し込まれていない状態とこの押ボタンが押し込まれた状態との中間状態において、前記付勢力が最大となるように作用することを特徴とする。
【０００８】
〔３〕上記〔１〕又は〔２〕記載の非常停止スイッチにおいて、前記バネ部材がケースとプランジャ間に掛けられ、常にスイッチのＯＦＦ側に付勢するネジリコイルバネであることを特徴とする。
【発明の効果】
【０００９】
本発明によれば、次のような効果を奏することができる。
【００１０】
スイッチの転換子の押し下げ操作後に衝撃や振動が加わっても、バネ部材により、瞬間的に固定接点と可動接点とがＯＮ状態となることを停止することができ、安全性の向上を図ることができる。
【００１１】
また、バネ部材のみの簡単な構成により固定接点と可動接点との間の遮断が可能であり、コストの低減化を図ることができる。
【図面の簡単な説明】
【００１２】
【図１】本発明の一実施形態である非常停止スイッチの分解斜視図である。
【図２】本発明の非常停止スイッチの操作ボタンを押し込んだ状態の開閉部の斜視図である。
【図３】図２の平面図である。
【図４】図２の断面図である。
【図５】操作ボタンを押していない時のネジリコイルバネの動きを示す図である。
【図６】操作ボタンを２ｍｍ押し込んだ時のネジリコイルバネの動きを示す図である。
【図７】操作ボタンを押している時のネジリコイルバネの動きを示す図である。
【図８】本発明の非常停止スイッチのネジリコイルバネのストロークと荷重を示す図である。
【図９】従来例としての特許文献２（特許第５３４０８９２号) の開閉部の内部（Ｘ線で撮影）のノーマル状態を示す図である。
【図１０】従来例としての特許文献２（特許第５３４０８９２号) の開閉部の内部（Ｘ線で撮影）のロック状態を示す図である。
【発明を実施するための形態】
【００１３】
本発明の非常停止スイッチは、スイッチのＯＮ状態において、固定接点と可動接点とが開離する方向へ付勢し、押ボタンが押し込まれた状態での付勢力が押ボタンが押し込まれていない状態での付勢力より大きくなるような作用をするバネ部材により、押ボタンを押した直後に取付機器の振動や取付機器外部からの衝撃により、瞬間的に固定接点と可動接点とがＯＮとなる状態を回避でき、安全性の向上を図ることができる。
【００１４】
また、上記したバネ部材のみの簡単な構成により固定接点と可動接点との間の遮断が可能である。
【実施例】
【００１５】
以下、本発明の実施の形態について詳細に説明する。
【００１６】
図１は本発明の一実施形態である非常停止スイッチの分解斜視図、図２は本発明の非常停止スイッチの操作ボタンを押し込んだ状態の開閉部の斜視図、図３は図２の平面図、図４は図２の断面図、図５は操作ボタンを押していない時のネジリコイルバネの動きを示す図、図６は操作ボタンを２ｍｍ押し込んだ時のネジリコイルバネの動きを示す図、図７は操作ボタンを押している時のネジリコイルバネの動きを示す図、図８は本発明の非常停止スイッチのネジリコイルバネのストロークと荷重を示す図である。
【００１７】
図１において、１は操作ボタン、２は操作ボタン１と後述するプランジャ３とを連結する直結リング、４はバネ、５は防水ゴム、６はハウジング, ７は丸ナット、１０は後述する開閉部である。
【００１８】
図２〜図７に示すように、開閉部１０は、１１はケース、１２は固定端子、１３は固定接点、１４はコイルバネ、１５は可動端子、１６は可動接点、１７はプランジャ、１８はネジリコイルバネ（バネ部材）からなる。
【００１９】
ここで、ネジリコイルバネ１８はケース穴、プランジャ穴のそれぞれに掛けられ、ケース１１とプランジャ１７の間に配置されている。ネジリコイルバネ１８はコイルから延びる各端部が開くように、周方向にケース１１およびプランジャ３をそれぞれ付勢している。図３ないし図５のいずれにおいても、プランジャ１７を付勢する周方向の付勢力は、プランジャ１７を付勢する方向の成分を有している。
【００２０】
図３ないし図５に示すように、プランジャ１７が押し下げられるに従い、ネジリコイルバネ１８の両端が開き，周方向の付勢力は弱くなる。しかしながら、付勢力のうち、プランジャ１７を押し下げる方向の成分は増加する。これにより、ネジリコイルバネ１８によるプランジャ１７を押し下げる力は、図７に示すように、操作ボタンを押す前の状態よりも操作ボタンを押し込んだ状態の方が大きくなる。さらに、ネジリコイルバネ１８によるプランジャ１７を押し下げる力は、図７に示すように、操作ボタンを押す前の状態と操作ボタンを押し込んだ状態との中間近傍で最大となる。
【００２１】
また、ＯＮ時はラッチ構造用のバネの力によりネジリコイルバネ１８によるＯＦＦ側に力が働く力は相殺され、コイルバネ１４により接触力を生み出す。
【００２２】
なお、ネジリコイルバネの動きと荷重値は、ネジリコイルバネの材質はＳＷＰ−Ｂで線径０．４、ストロークは０〜４ｍｍの場合、図５の場合はＯＦＦ側に働く力は３０ｇ、図６の場合はＯＦＦ側に働く力は１００ｇ、図７の場合はＯＦＦ側に働く力は５０ｇであり、本発明の非常停止スイッチでは、プランジャを押し込んだ状態での対衝撃、振動時の安全性の向上を図ることができた。
【００２３】
なお、本発明は上記実施例に限定されるものではなく、本発明の趣旨に基づき種々の変形が可能であり、これらを本発明の範囲から排除するものではない。
【産業上の利用可能性】
【００２４】
本発明の非常停止スイッチは、スイッチのＯＮ状態において、固定接点と可動接点とが接触する方向へ付勢し、押ボタンが押し込まれた状態での付勢力が押ボタンが押し込まれていない状態での付勢手段による付勢力より大きくなるように作用をするバネ部材を具備することにより、押ボタンを押した直後のチャタリングによるＯＮ状態を回避でき、安全性が向上した非常停止スイッチとして利用可能である。
【符号の説明】
【００２５】
１  操作ボタン
２  直結リング
３  プランジャ
４  バネ
５  防水ゴム
６  ハウジング
７  丸ナット
１０  開閉部
１１  ケース
１２  固定端子
１３  固定接点
１４  コイルバネ
１５  可動端子
１６  可動接点
１７  プランジャ
１８  ネジリコイルバネ（バネ部材）
【図１】
2018055963.tif 000003
【図２】
2018055963.tif 000004
【図３】
2018055963.tif 000005
【図４】
2018055963.tif 000006
【図５】
2018055963.tif 000007
【図６】
2018055963.tif 000008
【図７】
2018055963.tif 000009
【図８】
2018055963.tif 000010
【図９】
2018055963.tif 000011
【図１０】
2018055963.tif 000012